(57)【要約】【課題】真空弁ユニット監視装置が真空弁ユニットの異常の発生を通知する通知信号を後段に出力するための信号線の数の削減を図る。【解決手段】複数の真空弁ユニットごとに備えられた複数のセンサはそれぞれ異なる検出対象を検出してセンサ信号を出力する。真空弁ユニット監視装置は、異常を示すセンサ信号を出力したセンサを備える真空弁ユニットを示すための信号をそれぞれ個別の信号線から出力し、異常を示すセンサ信号を出力したセンサの検出対象の種別を示すための信号をそれぞれ個別の信号線から出力する。真空弁ユニット監視装置は、異常を示すセンサ信号が有る場合、このセンサ信号を出力したセンサを備える真空弁ユニットを示すように選択した信号線から信号を出力するとともに、このセンサ信号を出力したセンサの検出対象の種別を示すように選択した信号線から信号を出力させる。【選択図】図３
2014070330.tif 000002
【特許請求の範囲】
【請求項１】
複数の真空弁ユニットのそれぞれに貯留された汚水を真空下水管経由で真空ステーションに搬送する下水道システムにおける真空弁ユニット監視装置であって、
前記複数の真空弁ユニットごとに対して備えられた複数のセンサがそれぞれ異なる検出対象を検出して出力したセンサ信号を入力する信号入力部と、
前記信号入力部により入力されたセンサ信号のうちで検出対象が異常であることを示している異常指示センサ信号が有るか否かについて判定する判定部と、
前記異常指示センサ信号を出力したセンサを備える真空弁ユニットを示す信号を真空弁ユニット通知用の複数の信号線を利用して出力し、前記異常指示センサ信号を出力したセンサの検出対象の種別を示す信号を検出対象種別通知用の信号線を利用して出力する信号出力部と、
前記判定部により異常指示センサ信号が有ると判定されるのに応じて、当該異常指示センサ信号を出力したセンサを備える真空弁ユニットを示すように選択した真空弁ユニット通知用の信号線から信号を出力させるとともに、前記異常指示センサ信号を出力したセンサの検出対象の種別を示すように選択した検出対象種別通知用の信号線から信号を出力させるように前記信号出力部を制御する信号出力制御部と
を備えることを特徴とする真空弁ユニット監視装置。
【請求項２】
前記信号出力部は、
前記異常指示センサ信号を出力したセンサを備える真空弁ユニットを示すための信号を、複数の真空弁ユニットごとに対応する真空弁ユニット通知用の信号線から個別に出力するとともに、前記異常指示センサ信号を出力したセンサの検出対象の種別を示すための信号を、検出対象の種別ごとに対応する検出対象種別通知用の信号線から個別に出力し、
前記信号出力制御部は、
前記判定部により異常指示センサ信号が有ると判定されるのに応じて、当該異常指示センサ信号を出力したセンサを備える真空弁ユニットに対応する真空弁ユニット通知用の信号線を選択するとともに、前記異常指示センサ信号を出力したセンサの検出対象の種別に対応する検出対象種別通知用の信号線を選択する
請求項１に記載の真空弁ユニット監視装置。
【発明の詳細な説明】
【技術分野】
【０００１】
本発明は、真空弁ユニット監視装置に関する。
【背景技術】
【０００２】
下水道システムとして、真空式下水道システムが知られている。真空式下水道システムでは、例えば一般家庭などの建物から排出された汚水を一時的に真空弁ユニット内の汚水ますに貯留させ、その貯留された汚水を真空ステーションにて発生させた真空圧（負圧）により吸引して真空ステーションへ搬送する。
【０００３】
このような真空式下水道システムの真空弁ユニットでは、例えば真空弁の故障などにより真空弁ユニットに異常が生じる場合がある。このように異常が発生した場合には、そのことをできるだけ迅速に検知して例えば管理者などに通知することが求められる。
【０００４】
そこで、真空弁ユニットの真空弁の開閉を検知する弁センサと、真空弁の真空ステーション圧力を検知する圧力センサとを設置し、これらの弁センサと圧力センサの出力に基づいて真空弁異常あるいは真空下水管異常を判定する監視装置が知られている（例えば、特許文献１参照）。
【先行技術文献】
【特許文献】
【０００５】
【特許文献１】特開平１０−１５９１６９号公報
【発明の概要】
【発明が解決しようとする課題】
【０００６】
異常の発生したことを監視装置から後段の通報装置に通知させるにあたり、監視装置と通報装置との間を、監視装置が入力するセンサ信号ごとに対応付けた複数の信号線で接続する構成を採る場合がある。この構成の場合、監視装置は、入力したセンサ信号のうち異常の発生したことを示すセンサ信号に対応付けられた信号線に通知信号を出力する。
通報装置は、信号線が接続された端子のうちで通知信号が入力された端子がいずれであるのかに基づいて、どの真空弁ユニットにおいて、どの監視対象に異常が発生したのかを認識する。そして、その認識結果を反映した異常発生通知を、例えば、管理者の端末などに送信する。
【０００７】
このような構成では、監視装置と通報装置との間の信号線の数は、例えば、真空弁ユニットの数と、真空弁ユニットごとに備えられる異なる検出対象ごとのセンサの数とを乗算した数となる。
しかし、上記のような監視装置が現実に監視対象とする真空弁ユニットは相当に多数であることから、現実における監視装置と通報装置との間の信号線の数も相当な多数にまで増加してしまう。このような信号線の増加は、例えば通報装置における通知信号用の入力端子の増加につながる。このために、通報装置のコストアップやハードウェア部品の大型化を招く。また、通報装置は、例えばシーケンサなどにより構成されるのであるが、このシーケンサの複雑化も招く。
【０００８】
本発明は、このような事情に鑑みてなされたもので、複数の真空弁ユニットを監視する真空弁ユニット監視装置が真空弁ユニットの異常の発生を通知する通知信号を後段に出力するための信号線の数の削減を図ることを目的とする。
【課題を解決するための手段】
【０００９】
上述した課題を解決するために、本発明の真空弁ユニット監視装置の一態様は、複数の真空弁ユニットのそれぞれに貯留された汚水を真空下水管経由で真空ステーションに搬送する下水道システムにおける真空弁ユニット監視装置であって、前記複数の真空弁ユニットごとに対して備えられた複数のセンサがそれぞれ異なる検出対象を検出して出力したセンサ信号を入力する信号入力部と、前記信号入力部により入力されたセンサ信号のうちで検出対象が異常であることを示している異常指示センサ信号が有るか否かについて判定する判定部と、前記異常指示センサ信号を出力したセンサを備える真空弁ユニットを示す信号を真空弁ユニット通知用の複数の信号線を利用して出力し、前記異常指示センサ信号を出力したセンサの検出対象の種別を示す信号を検出対象種別通知用の信号線を利用して出力する信号出力部と、前記判定部により異常指示センサ信号が有ると判定されるのに応じて、当該異常指示センサ信号を出力したセンサを備える真空弁ユニットを示すように選択した真空弁ユニット通知用の信号線から信号を出力させるとともに、前記異常指示センサ信号を出力したセンサの検出対象の種別を示すように選択した検出対象種別通知用の信号線から信号を出力させるように前記信号出力部を制御する信号出力制御部とを備える。
【００１０】
また、本発明の真空弁ユニット監視装置において、前記信号出力部は、前記異常指示センサ信号を出力したセンサを備える真空弁ユニットを示すための信号を、複数の真空弁ユニットごとに対応する真空弁ユニット通知用の信号線から個別に出力するとともに、前記異常指示センサ信号を出力したセンサの検出対象の種別を示すための信号を、検出対象の種別ごとに対応する検出対象種別通知用の信号線から個別に出力し、前記信号出力制御部は、前記判定部により異常指示センサ信号が有ると判定されるのに応じて、当該異常指示センサ信号を出力したセンサを備える真空弁ユニットに対応する真空弁ユニット通知用の信号線を選択するとともに、前記異常指示センサ信号を出力したセンサの検出対象の種別に対応する検出対象種別通知用の信号線を選択するようにしてもよい。
【発明の効果】
【００１１】
以上説明したように、本発明によれば、複数の真空弁ユニットを監視する真空弁ユニット監視装置が真空弁ユニットの異常の発生を通知する通知信号を後段に出力するための信号線の数の削減が図られるという効果が得られる。
【図面の簡単な説明】
【００１２】
【図１】本実施形態における下水道システムの構成例を示す図である。
【図２】制御盤におけるセンサ信号の入力と、通知信号の出力についての一般的な構成例を示す図である。
【図３】本実施形態における制御盤の構成例を示す図である。
【図４】本実施形態における制御盤が実行する手順例を示す図である。
【発明を実施するための形態】
【００１３】
図１は、本発明の実施形態における下水道システムの構成例を示している。本実施形態における下水道システムは、複数の真空弁ユニットのそれぞれに貯留された汚水を真空下水管経由で真空ステーションに搬送する、真空式といわれるものである。
本実施形態における下水道システムは、図１に示すように、複数の住宅１０に対応する。
例えば住宅１０（あるいは商業設備、公共設備などであってもよい）の近傍には、真空弁ユニット１１が設置される。この真空弁ユニット１１は、地中の自然流下管２１を介して１または複数の住宅１０と接続されている。また、真空弁ユニット１１と真空ステーション４０における集水タンク４１との間は、真空下水管２２により接続されている。
真空弁ユニット１１は、汚水を貯留する汚水ますや、真空下水管２２に接続される真空弁などを備える。
【００１４】
住宅１０から排出された排水（汚水）は、自然流下管２１を通過して真空弁ユニット１１における汚水ますに流入し、ここで貯留される。汚水ますに貯留された汚水は、真空ステーション４０にて発生された真空圧（大気圧よりも低い圧力）によって真空下水管２２を通過して気液混送流となり、真空ステーション４０の集水タンク４１まで搬送される。
【００１５】
真空ステーション４０は、真空ポンプ方式により真空弁ユニット１１のそれぞれに貯留された汚水を吸引するように集めたうえで、集めた汚水を、例えば公共下水道２３へと供給する。このために、真空ステーション４０は、集水タンク４１、真空ポンプ４２及び圧送ポンプ４３を備える。
【００１６】
真空ポンプ４２は、密閉された集水タンク４１内の空気を吸引することにより、集水タンク４１と接続される真空下水管２２に真空圧を発生させる。例えば真空ポンプ４２は、真空下水管２２を０．４気圧程度の真空状態とする。これにより、各真空弁ユニット１１にて貯留された汚水が吸引され集水タンク４１に流入する。
このように集水タンク４１に貯留された汚水は、圧送ポンプ４３によって例えば公共下水道２３に排出される。
【００１７】
また、真空ステーション４０は、下水道システムにおける複数の真空弁ユニット１１の各々に異常の発生がしていないか否かを監視する。このために、真空ステーション４０は、制御盤１００と、通報装置２００を備える。
【００１８】
ここで、下水道システムにおける複数の真空弁ユニット１１には、それぞれ、弁センサ１２−１と水位センサ１２−２が備えられる。
弁センサ１２−１は、真空弁ユニット１１における真空弁の開閉状態（開閉しているか否か）を検出対象として検出するセンサである。弁センサ１２−１は、例えば、真空弁が閉状態であることを検出しているときには「Ｈｉ」のセンサ信号を出力し、真空弁が開状態であることを検出しているときには「Ｌｏｗ」のセンサ信号を出力する。
【００１９】
また、水位センサ１２−２は、真空弁ユニット１１における汚水ますの水位を検出対象として検出するセンサである。水位センサ１２−２は、汚水ますの水位が一定以上であることを検出しているときには「Ｈｉ」のセンサ信号を出力し、汚水ますの水位が一定未満であることを検出しているときには「Ｌｏｗ」のセンサ信号を出力する。
各真空弁ユニット１１に備えられる弁センサ１２−１と水位センサ１２−２の各センサ信号は、伝送線網３０を経由して制御盤１００に入力される。
なお、以降において弁センサ１２−１と水位センサ１２−２とを特に区別して説明する必要の無い場合には、センサ１２と記載する。
【００２０】
制御盤１００は、真空弁ユニット１１ごとに備えられる弁センサ１２−１と水位センサ１２−２のセンサ信号をそれぞれ監視する。これにより、制御盤１００は、真空弁ユニット１１ごとにおける弁の開閉状態についての異常と汚水ますの水位についての異常が発生しているか否かについてそれぞれ判定する。そして、異常が発生した場合には、その異常が発生した真空弁ユニット１１と、異常の発生が弁の開閉状態と水位のいずれにおけるものであるのかを示す通知信号を通報装置２００に対して出力する。
【００２１】
通報装置２００は、入力した通知信号にしたがって、異常が発生した真空弁ユニット１１と、異常の発生が真空弁の開閉状態または汚水ますの水位に関するものであることを示す通報を管理者に対して行う。一例として、通報装置２００は、例えば通報のためのメールを作成し、作成したメールを管理者のメールアドレス宛に送信する。また、予め登録された携帯電話番号を呼び出し、通報の音声メッセージを送話音声として送信する。
【００２２】
図２は、制御盤１００におけるセンサ信号の入力と、通知信号の出力についての一般的な構成例を示している。
図１に示す伝送線網３０は、各真空弁ユニット１１の弁センサ１２−１と水位センサ１２−２のセンサ信号ごとに対応する信号線を含む伝送線網である。これに応じて、制御盤１００は、各真空弁ユニット１１の弁センサ１２−１と水位センサ１２−２の各センサ信号を個別に入力する。
【００２３】
図２においては、下水道システムにおいて１００個の真空弁ユニット１１が備えられる場合の例を示している。これら１００個の真空弁ユニット１１には、それぞれ、＃１〜＃１００までのユニット番号が割り当てられている。
センサ信号Ｓｖ＃１は、ユニット番号＃１の真空弁ユニット１１に備えられる弁センサ１２−１から出力されたセンサ信号である。センサ信号Ｓｗ＃１は、同じユニット番号＃１の真空弁ユニット１１に備えられる水位センサ１２−２から出力されたセンサ信号である。
同様に、センサ信号Ｓｖ＃２〜Ｓｖ＃１００は、それぞれ、ユニット番号＃２〜＃１００の真空弁ユニット１１に備えられる弁センサ１２−１から出力されたセンサ信号である。センサ信号Ｓｗ＃２〜Ｓｗ＃１００は、それぞれ、ユニット番号＃２〜＃１００の真空弁ユニット１１に備えられる水位センサ１２−２から出力されたセンサ信号である。
【００２４】
この場合の制御盤１００は、上記のように入力されたセンサ信号Ｓｖ＃１〜Ｓｖ＃１００、Ｓｗ＃１〜Ｓｗ＃１００ごとの監視を行う。この監視により、制御盤１００は、センサ信号Ｓｖ＃１〜Ｓｖ＃１００のうちで弁の開閉状態が異常であることを示しているものが有るか否かについて判定する。また、制御盤１００は、センサ信号Ｓｗ＃１〜Ｓｗ＃１００のうちで、汚水ますの水位が異常であることを示しているものが有るか否かについて判定する。
【００２５】
このように、制御盤１００は、２００のセンサ信号Ｓｖ＃１〜Ｓｖ＃１００、Ｓｗ＃１〜Ｓｗ＃１００のそれぞれを監視することにより、真空弁ユニット１１ごとの弁の開閉状態または汚水ますの水位についての異常の有無を判定する。そのうえで、この場合の制御盤１００は、異常の発生を通知するための通知信号として、２００のセンサ信号Ｓｖ＃１〜Ｓｖ＃１００、Ｓｗ＃１〜Ｓｗ＃１００ごとに対応付けられた同じ２００個の通知信号Ｉｖ＃１〜Ｉｖ＃１００、Ｉｗ＃１〜Ｉｗ＃１００を出力する。
【００２６】
具体例として、例えば、ユニット番号＃２の真空弁ユニット１１の弁センサ１２−１から出力されたセンサ信号Ｓｖ＃２が異常であることを示していると判定した場合、制御盤１００は、以下のように通知信号を出力する。つまり、制御盤１００は、通知信号Ｉｖ＃１〜Ｉｖ＃１００、Ｉｗ＃１〜Ｉｗ＃１００のうち、通知信号Ｉｖ＃２を出力する。
【００２７】
図２の通報装置２００は、２００個の通知信号Ｉｖ＃１〜Ｉｖ＃１００、Ｉｗ＃１〜Ｉｗ＃１００が個別に出力されるのに応じて、同じ２００個の入力端子Ｔｉ１〜Ｔｉ２００を備える。
上記のように制御盤１００から出力された通知信号Ｉｖ＃２は、通報装置２００における入力端子Ｔｉ３に入力される。通報装置２００は、入力端子Ｔｉ１〜Ｔｉ２００ごとに、ユニット番号と検出対象の種別（真空弁の開閉状態または汚水ますの水位）を対応付けて記憶している。通報装置２００は、上記のように入力端子Ｔｉ３に通知信号が入力されるのに応じて、ユニット番号＃２の真空弁ユニット１１における真空弁について異常が発生したことを認識する。そして、通報装置２００は、ユニット番号＃２の真空弁ユニット１１における真空弁について異常が発生したことをメール送信などにより管理者に通報する。
【００２８】
通報装置２００は、通知信号を入力するために、制御盤１００が出力する通知信号の数に応じた入力端子を備える。下水道システムにおいて１つの真空ステーション４０に対応する真空弁ユニット１１は相当に多数であるうえに、１つの真空弁ユニット１１に対しては、例えば真空弁の開閉状態や水位などのようにそれぞれ検出対象が異なる複数のセンサが備えられる。
センサ信号の数は、真空弁ユニット１１の数と、１つの真空弁ユニット１１に備えられるセンサの数とを乗算したものとなるので、真空弁ユニットの倍数で増加する。これまでの説明からも分かるように、図２の例では、真空弁ユニット１１の数が１００で、１つの真空弁ユニット１１に備えられるセンサは弁センサ１２−１と水位センサ１２−２の２つであるから、センサ信号の数は、真空弁ユニット１１の数の２倍の２００となる。
そして、図２の制御盤１００の構成では、通知信号もセンサ信号ごとに対応して個別に出力されることから、通知信号の数もセンサ信号の数と同じにまで増加してしまう。
【００２９】
このように、通知信号の数が増加するのに応じて、通報装置２００において通知信号を入力するための入力端子の数も増加することになる。このような通報装置２００における入力端子数の増加は、例えばコストアップ、ハードウェアの規模の拡大、シーケンサの複雑化などを招くことからできるだけ抑えられることが好ましい。
そこで、本実施形態においては、以降説明するように制御盤１００を構成することにより、制御盤１００が出力する通知信号の数を削減する。これにより、通報装置２００が備えるべき入力端子の数が削減される。
【００３０】
図３は、本実施形態における制御盤１００（真空弁ユニット監視装置）の構成例を示している。なお、この図も、図１の下水道システムとして、ユニット番号＃１〜＃１００が割り当てられた１００個の真空弁ユニット１１を備える場合に対応している。
この図に示す制御盤１００は、信号入力部１０１、判定部１０２、記憶部１０３、信号出力制御部１０４及び信号出力部１０５を備える。
【００３１】
信号入力部１０１は、複数の真空弁ユニット１１ごとに対して備えられた検出対象が異なる複数のセンサ１２がそれぞれ出力したセンサ信号を入力する。
つまり、信号入力部１０１は、ユニット番号＃１〜＃１００の真空弁ユニット１１ごとの弁センサ１２−１と水位センサ１２−２からのセンサ信号Ｓｖ＃１〜Ｓｖ＃１００、Ｓｗ＃１〜Ｓｗ＃１００を入力する。なお、センサ信号Ｓｖ＃１〜Ｓｖ＃１００、Ｓｗ＃１〜Ｓｗ＃１００は、それぞれ、図１の伝送線網３０において個別の信号線を経由して伝送される。
【００３２】
判定部１０２は、信号入力部により入力されたセンサ信号のうちで検出対象が異常を示しているセンサ信号（異常指示センサ信号）が有るか否かについて判定する。
このために、判定部１０２は、信号入力部１０１が入力したセンサ信号Ｓｖ＃１〜Ｓｖ＃１００、Ｓｗ＃１〜Ｓｗ＃１００をさらに入力し、入力したセンサ信号Ｓｖ＃１〜Ｓｖ＃１００、Ｓｗ＃１〜Ｓｗ＃１００を個々に監視する。
なお、判定部１０２は、センサ信号Ｓｖ＃１〜Ｓｖ＃１００、Ｓｗ＃１〜Ｓｗ＃１００を監視するにあたり、例えば、信号入力部１０１から一定周期ごとに順次、センサ信号Ｓｖ＃１〜Ｓｖ＃１００、Ｓｗ＃１〜Ｓｗ＃１００を入力すればよい。あるいは、センサ信号Ｓｖ＃１〜Ｓｖ＃１００、Ｓｗ＃１〜Ｓｗ＃１００を個別に入力し、入力したセンサ信号Ｓｖ＃１〜Ｓｖ＃１００、Ｓｗ＃１〜Ｓｗ＃１００をそれぞれ同時に監視できるように構成してもよい。
【００３３】
具体的に、判定部１０２は、センサ信号Ｓｖ＃１〜Ｓｖ＃１００、Ｓｗ＃１〜Ｓｗ＃１００を監視することにより、以下のように、異常指示センサ信号が有るか否かについて判定すればよい。
つまり、判定部１０２は、例えば弁センサ１２−１から出力されるセンサ信号Ｓｖ＃１〜Ｓｖ＃１００については、「Ｈｉ」の状態が予め定められた閾値時間（例えば１分程度）以上継続した場合に、そのセンサ信号が真空弁について異常であることを示す異常指示センサ信号であると判定する。このように、判定部１０２は、真空弁が例えば１分以上閉じたままの状態が継続した場合に、その真空弁に異常が発生したものと判定する。
また、水位センサ１２−２から出力されるセンサ信号Ｓｗ＃１〜Ｓｗ＃１００については、「Ｈｉ」の状態が予め定められた閾値時間（例えば１分１０秒程度）以上継続した場合に、そのセンサ信号が水位について異常であることを示す異常指示センサ信号であると判定する。このように、判定部１０２は、汚水ますの水位が或る一定以上となる状態が例えば１分１０秒以上継続した場合に、その水位について異常が発生したものと判定する。
なお、例えば記憶部１０３に上記の閾値時間を予め記憶させておいたうえで、判定部１０２は、この記憶部１０３から読み出した閾値時間を利用して上記のように判定を行うようにすればよい。
【００３４】
判定部１０２は、上記のように異常指示センサ信号の有ることを判定すると、その判定結果として、このセンサ信号が入力された信号入力部１０１のポート（端子）番号を示す信号を信号出力制御部１０４に出力する。
信号入力部１０１はセンサ信号Ｓｖ＃１〜Ｓｖ＃１００、Ｓｗ＃１〜Ｓｗ＃１００ごとに対応する２００個のポート（端子）を備えており、これらのポートには、例えば図３の信号入力部１０１において示すように、例えば「＃１」〜「＃２００」の番号が付されている。
【００３５】
判定部１０２は、信号入力部１０１からセンサ信号を入力するときに、その入力したセンサ信号が、信号入力部１０１におけるどの番号のポート（端子）から入力されたものであるのかを認識している。
そこで、判定部１０２は、異常指示センサ信号の有ることを判定した場合、この異常指示センサ信号が入力された信号入力部１０１のポート番号を示す信号（ポート番号信号）を生成し、信号出力制御部１０４に出力する。なお、このポート番号信号は、例えば所定のビット数によりポート番号を示すものであればよい。
【００３６】
信号出力制御部１０４は、判定部１０２により異常指示センサ信号が有ると判定されるのに応じて、この異常指示センサ信号を出力したセンサを備える真空弁ユニット１１を示すように選択した真空弁ユニット通知用の信号線から信号を出力させるとともに、この異常指示センサ信号を出力したセンサの検出対象の種別を示すように選択した検出対象種別通知用の信号線から信号を出力させるように信号出力部１０５を制御する。
一例として、本実施形態における信号出力制御部１０４は、判定部１０２により異常指示センサ信号が有ると判定されるのに応じて、この異常指示センサ信号を出力したセンサ１２を備える真空弁ユニット１１に対応する真空弁ユニット通知用の信号線を選択するとともに、異常指示センサ信号を出力したセンサの検出対象の種別に対応する検出対象種別通知用の信号線を選択する。
【００３７】
このために、信号出力制御部１０４は、例えば判定部１０２からポート番号信号が示すポート番号に基づいて、異常指示センサ信号を出力したセンサ１２を備える真空弁ユニット１１のユニット番号を認識する。これとともに、信号出力制御部１０４は、異常指示センサ信号を出力したセンサ１２（弁センサ１２−１または水位センサ１２−２）の検出対象の種別を認識する。
【００３８】
例えば、記憶部１０３は、信号入力部１０１の各ポートと、各ポートに入力されるセンサ信号を出力したセンサ１２を備える真空弁ユニット１１のユニット番号と、そのセンサ１２の検出対象の種別とを対応付けたポートテーブルを記憶している。
信号出力制御部１０４は、入力したポート番号信号が示すポート番号に対応付けられているユニット番号と検出対象の種別をポートテーブルから読み出す。これにより、信号出力制御部１０４は、ユニット番号と検出対象の種別を認識する。
【００３９】
信号出力部１０５は、異常指示センサ信号を出力したセンサ１２を備える真空弁ユニット１１を示す信号を真空弁ユニット通知用の複数の信号線を利用して出力し、異常指示センサ信号を出力したセンサの検出対象の種別を示す信号を検出対象種別通知用の信号線を利用して出力する。
一例として、本実施形態における信号出力部１０５は、異常指示センサ信号を出力したセンサ１２を備える真空弁ユニット１１を示すための信号を、複数の真空弁ユニット１１ごとに対応する真空弁ユニット通知用の信号線から個別に出力する。また、これとともに、信号出力部１０５は、異常指示センサ信号を出力したセンサ１２の検出対象の種別を示すための信号を、検出対象の種別ごとに対応する検出対象種別通知用の信号線から個別に出力する。
【００４０】
具体的に、信号出力部１０５は、真空弁ユニット通知信号出力部１０５Ａと、検出対象通知信号出力部１０５Ｂとを備える。
真空弁ユニット通知信号出力部１０５Ａは、複数の真空弁ユニットごとに対応する真空弁ユニット通知信号Ｉｕ＃１〜Ｉｕ＃１００を、それぞれ真空弁ユニット通知用の信号線Ｌ１〜Ｌ１００から個別にする。
検出対象通知信号出力部１０５Ｂは、検出対象の種別が真空弁の開閉状態であることを示す検出対象通知信号Ｉｖと、検出対象の種別が汚水ますの水位であることを示す検出対象通知信号Ｉｗとをそれぞれ検出対象種別通知用の信号線Ｌ１０１、Ｌ１０２から個別に出力する。
【００４１】
信号出力制御部１０４は、信号線Ｌ１〜Ｌ１００のうちから認識したユニット番号に対応する信号線を選択したうえで、この選択した信号線から信号出力部１０５が真空弁ユニット通知信号を出力するように制御する。
また、信号出力制御部１０４は、信号線Ｌ１０１、Ｌ１０２のうちから認識した検出対象の種別に対応する信号線を選択したうえで、この選択した信号線から信号出力部１０５が検出対象通知信号を出力するように制御する。
【００４２】
具体例として、信号入力部１０１のポート番号＃３のセンサ信号Ｓｖ＃２が異常であることを示す異常指示センサ信号である場合、判定部１０２は、「＃３」を示すポート番号信号を信号出力制御部１０４に出力する。
信号出力制御部１０４は、記憶部１０３に記憶されるポートテーブルを参照することで、入力されたポート番号信号が示すポート番号＃３に対応付けられているユニット番号が「＃２」であり、検出対象の種別が「真空弁の開閉状態」であることを認識する。
そこで、信号出力制御部１０４は、ユニット番号＃２に対応する信号線Ｌ２を選択し、この信号線Ｌ２から真空弁ユニット通知信号Ｉｕ＃２が出力されるように真空弁ユニット通知信号出力部１０５Ａを制御する。これとともに、信号出力制御部１０４は、検出対象の種別が真空弁の開閉状態である場合に対応する信号線Ｌ１０２を選択し、この信号線Ｌ１０２から検出対象通知信号Ｉｖが出力されるように検出対象通知信号出力部１０５Ｂを制御する。
【００４３】
通報装置２００は、真空弁ユニット通知信号Ｉｕ＃１〜Ｉｕ＃１００に対応する信号線Ｌ１〜Ｌ１００の各々と接続される１００個の入力端子Ｔｉ１〜Ｔｉ１００を備える。また、通報装置２００は、検出対象通知信号Ｉｖと検出対象通知信号Ｉｗに対応する信号線Ｌ１０１、Ｌ１０２の各々と接続される２個の入力端子Ｔｉ１０１、Ｔｉ１０２を備える。
【００４４】
通報装置２００は、真空弁ユニット通知信号が入力された入力端子と、検出対象通知信号が入力された入力端子を識別することにより、どのユニット番号の真空弁ユニットに異常が発生し、また、その異常が発生した部位がどこであるのかを認識する。そして、通報装置２００は、認識結果にしたがって、例えば異常が発生した真空弁ユニットのユニット番号と、この真空弁ユニットにおいて異常が発生した部位とを示す内容を示す通報を送信する。
【００４５】
一例として、上記したように信号出力部１０５が信号線Ｌ２から真空弁ユニット通知信号Ｉｕ＃２を出力し、信号線Ｌ１０１から検出対象通知信号Ｉｖを出力した場合、通報装置２００においては、入力端子Ｔｉ２に真空弁ユニット通知信号Ｉｕ＃２が入力され、入力端子Ｔｉ１０１に検出対象通知信号Ｉｖが入力される。
通報装置２００は、例えば内部のシーケンサにより、入力端子Ｔｉ２に真空弁ユニット通知信号が入力された場合には、異常が発生した真空弁ユニット１１のユニット番号が「＃２」であると認識する。また、通報装置２００は、入力端子Ｔｉ１０１に検出対象通知信号が入力された場合には、その真空弁ユニット１１において「真空弁の開閉状態」について異常が発生したと認識する。そこで、通報装置２００は、ユニット番号＃２の真空弁ユニットにおいて、真空弁の開閉状態について異常が発生したことを示す内容の通報を管理者の端末などに送信する。
【００４６】
先に示した図２の構成の場合には、真空弁ユニット１１に備えられるセンサ１２ごとに対応して各１つの通知信号を個別に出力させていた。この場合、制御盤１００から出力される通知信号の数は、真空弁ユニット１１の数をａ、真空弁ユニット１１ごとに備えられるセンサ１２の数をｂとした場合、ａ×ｂとなる。
これに対して、本実施形態としての図３の構成の場合には、真空弁ユニット１１のユニット番号ごとに対応する数の真空弁ユニット通知信号と、センサ１２の検出対象の種別ごとに対応する検出対象通知信号とを出力させている。つまり、本実施形態では、真空弁ユニット番号を示すための信号群と、センサ１２の検出対象の種別を示すための信号群の組み合わせにより図２と同じ内容を通知するものである。
この場合、本実施形態において制御盤１００から出力される通知信号の数は、ａ＋ｂとなる。これに伴い、通報装置２００に設けるべき入力端子の数も、図２の場合にはａ×ｂであるのに対して、図３に示す本実施形態の場合には、ａ＋ｂでよいことになる。
具体的に、図２の通報装置２００が備える入力端子は、図２では入力端子Ｔｉ１〜Ｔｉ２００の２００（＝１００×２）個であるのに対して、本実施形態の図３では、入力端子Ｔｉ１〜Ｔｉ１０２の１０２（＝１００＋２）個となっており、８０個の削減が図られている。
このように、本実施形態では、通報装置２００が備えるべき入力端子の数を有効に削減することが可能である。
【００４７】
［処理手順例］
図４は、図３に示した本実施形態の制御盤１００が実行する手順例を示している。
判定部１０２は、信号入力部１０１が入力したセンサ信号Ｓｖ＃１〜Ｓｖ＃１００、Ｓｗ＃１〜Ｓｗ＃１００の監視を行い（ステップＳ１０１）、これらのうちで、異常であることを示すセンサ信号（異常指示センサ信号）が有るか否かについて判定する（ステップＳ１０２）。
【００４８】
異常指示センサ信号が無いと判定した場合（ステップＳ１０２−ＮＯ）、判定部１０２は、ステップＳ１０１に処理を戻す。
これに対して、異常指示センサ信号が有ると判定した場合（ステップＳ１０２−ＹＥＳ）、判定部１０２は、信号出力制御部１０４に対して、異常指示センサ信号が入力された信号入力部１０１のポート番号を示すポート番号信号を出力する（ステップＳ１０３）。
【００４９】
次に、信号出力制御部１０４は、異常指示センサ信号を出力したセンサ１２を備える真空弁ユニット１１のユニット番号と、異常指示センサ信号を出力したセンサ１２の検出対象の種別とを認識する（ステップＳ１０４）。
このために、信号出力制御部１０４は、ポートテーブルを参照して、ステップＳ１０３に応じて入力したポート番号信号が示すポート番号に対応付けられたユニット番号と検出対象の種別とを取得する。
【００５０】
そして、信号出力制御部１０４は、ステップＳ１０４により認識したユニット番号に対応する信号線から真空弁ユニット通知信号が出力されるように、真空弁ユニット通知信号出力部１０５Ａを制御する（ステップＳ１０５）。
これとともに、信号出力制御部１０４は、ステップＳ１０４により認識した検出対象の種別に対応する信号線から検出対象通知信号が出力されるように、検出対象通知信号出力部１０５Ｂを制御する（ステップＳ１０６）。ステップＳ１０６の処理を終了した後、信号出力制御部１０４は、ステップＳ１０１に処理を戻す。
【００５１】
なお、真空弁ユニット通知信号について、信号線ごとにビットを割り当て、これらの信号線に対して「１」と「０」の値に応じて、「Ｈｉ」と「Ｌｏｗ」が出力されるように構成してもよい。
具体例として、真空弁ユニット１１の数が「１００」である場合、真空弁ユニット通知信号出力部１０５Ａに第１ビット〜第８ビットまでに対応する８本の信号線を設ける。そのうえで、信号出力制御部１０４は、通知すべきユニット番号に応じて、８本の信号線について「Ｈｉ」と「Ｌｏｗ」のいずれを出力させるべきかを適宜選択する。
例えば、ユニット番号＃３を通知すべき場合には、第１ビットと第２ビットの信号線には、「１」に対応する「Ｈｉ」を出力させ、残る第３ビット〜第８ビットの信号線には、「０」に対応する「Ｌｏｗ」を出力させる。通報装置２００は、このように入力された真空弁ユニット通知信号をビットパターンとして処理することにより、通知されたユニット番号が「＃３」であることを認識できる。これにより、真空弁ユニット１１のユニット番号ごとに１つの信号線を割り当てる場合より、さらに信号線の数を削減できる。
また、検出対象通知信号についても同様に信号線ごとにビットを割り当てることとすれば、同様に信号線の数を削減できる。
【００５２】
また、制御盤１００の構成は図３に示したものに限定されない。また、図３の判定部１０２及び信号出力制御部１０４などとしての機能は、例えば、ＣＰＵ（Central Processing Unit）にプログラムを実行させることにより実現されてもよい。あるいは、図３の判定部１０２及び信号出力制御部１０４などとしての機能は、論理回路などにより構成されてもよい。
【００５３】
また、図３に判定部１０２及び信号出力制御部１０４などの機能を実現するためのプログラムをコンピュータ読み取り可能な記録媒体に記録して、この記録媒体に記録されたプログラムをコンピュータシステムに読み込ませ、実行することにより真空弁ユニット１１の監視を行ってもよい。なお、ここでいう「コンピュータシステム」とは、ＯＳや周辺機器等のハードウェアを含むものとする。
【００５４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００５５】
以上、この発明の実施形態について図面を参照して詳述してきたが、具体的な構成はこの実施形態に限られるものではなく、この発明の要旨を逸脱しない範囲の設計等も含まれる。
【符号の説明】
【００５６】
１０  住宅
１１  真空弁ユニット
１２  センサ
１２−１  弁センサ
１２−２  水位センサ
２１  自然流下管
２２  真空下水管
２３  公共下水道
３０  伝送線網
４０  真空ステーション
４１  集水タンク
４２  真空ポンプ
４３  圧送ポンプ
１００  制御盤
１０１  信号入力部
１０２  判定部
１０３  記憶部
１０４  信号出力制御部
１０５  信号出力部
１０５Ａ  真空弁ユニット通知信号出力部
１０５Ｂ  検出対象通知信号出力部
２００  通報装置
【図１】
2014070330.tif 000003
【図２】
2014070330.tif 000004
【図３】
2014070330.tif 000005
【図４】
2014070330.tif 000006